(57)【要約】      （修正有）【課題】支柱の径の寸法に制限されず回り止めされた状態に容易に装着できるロープ止め具を提供する。【解決手段】地面に立設される複数の支柱２間にネットを吊り下げるロープを架け渡すめのロープ止め具１において、ロープを係止して保持するロープ係止部を有する本体部分３と、本体部分３の下部に延設され支柱２の上端部２１に装着される嵌着部５とを有し、嵌着部５には、支柱２の上端部２１に嵌め付ける下面開放の受部を有し、受部の側面には、支柱２に止着する雄ネジ１６を設けてなる構成とした。【選択図】図１
0003150124.tif 000002
【実用新案登録請求の範囲】
【請求項１】
地面に立設される複数の支柱間にネットを吊り下げるロープを架け渡すためのロープ止め具において、
ロープを係止して保持するロープ係止部を有する本体部分と、前記本体部分の下部に延設され支柱の上端部に装着される嵌着部とを有し、前記嵌着部には、前記支柱の上端部に嵌め付ける下面開放の受部を有し、前記受部の側面には、前記支柱に止着する締着具を設けてなることを特徴とするロープ止め具。
【考案の詳細な説明】
【技術分野】
【０００１】
本考案は、植林造成地域や畑の周囲などの地面に複数の支柱を立設し、各支柱にロープを架け渡し、このロープに獣害防止ネットを吊り下げるために、各支柱に装着するロープ止め具に関するものである。
【背景技術】
【０００２】
猪、鹿などの野生動物は、植林造成地域において苗木の若芽を食い荒らしたり、農家の畑において、農作物を食い荒らしたりする。このような野生動物による被害を防止するため、植林造成地域や畑の周囲など所定の場所に複数の支柱を立設し、各支柱にロープ止め具を装着し、これらのロープ止め具を利用してロープを架け渡し、獣害防止ネットを吊り下げている。
【０００３】
例えば、特開２００６−１４４２８４号公報に記載のロープ止め具は、適宜な間隔で設置した支柱の上端部分に嵌着し、獣害防止ネットの上端部分に通したロープを、ロープ止め具に設けられたロープの通路を通過させて係止し、各支柱間にロープを張って獣害防止ネットを展開し、植林造成地域や畑へ動物が入り込むことを防いでいる。
【先行技術文献】
【特許文献】
【０００４】
【特許文献１】特開２００６−１４４２８４号公報
【考案の概要】
【考案が解決しようとする課題】
【０００５】
ロープ止め具は、支柱と略同径の嵌着用空部を有する略円筒形であって、支柱の上端部に嵌着用空部を嵌合して装着しているが、野外に設置されるため風雨により嵌合部が緩むと外れてしまうので、嵌着用空部の内壁に、放射状に展開する嵌着リブを設け、ロープ止め具を支柱の上端部分に圧入した場合に、嵌着リブが弾性変形することにより、嵌着リブが元の位置に復帰する方向に支柱を付勢してロープ止め具の回り止めとして機能する構造である。
【０００６】
しかしながら、嵌着用空部の内壁に放射状に嵌着リブを設けて支柱の上端部に圧入しても、支柱の径により嵌着リブが殆ど弾性変形せずに支柱の上端部分で滑ってしまう場合があり、嵌着リブがロープ止め具の回り止めとして機能しないことがある。また、上記ロープ止め具は、自身の嵌着用空部より小径な支柱に装着する場合、嵌着リブが弾性変形せずロープ止め具の回り止めとして機能しないので改善が望まれていた。
【０００７】
この考案は、上記課題を解決するために、支柱の径の寸法に制限されず回り止めされた状態に容易に装着できるロープ止め具を提供することを目的とする。
【課題を解決するための手段】
【０００８】
上記課題を解決するために、請求項１記載の考案は、地面に立設される複数の支柱間にネットを吊り下げるロープを架け渡すためのロープ止め具において、ロープを係止して保持するロープ係止部を有する本体部分と、前記本体部分の下部に延設され支柱の上端部に装着される嵌着部とを有し、前記嵌着部には、前記支柱の上端部に嵌め付ける下面開放の受部を有し、前記受部の側面には、前記支柱に止着する締着具を設けてなることを特徴とするロープ止め具である。
【考案の効果】
【０００９】
本考案のロープ止め具は、支柱の上端部に装着して締着具を止着することにより、支柱の径の寸法に制限されず回り止めされた状態に固定することができる。
【図面の簡単な説明】
【００１０】
【図１】本考案に係るロープ止め具の実施例１の使用例における斜視図である。
【図２】本考案に係るロープ止め具の実施例１の正面図である。
【図３】本考案に係るロープ止め具の実施例１の右側面図である。
【図４】本考案に係るロープ止め具の実施例１の左側面図である。
【図５】図２におけるＡ−Ａ線断面図である。
【図６】本考案に係るロープ止め具の使用例の説明図である。
【図７】本考案に係るロープ止め具を、獣害防止ネットに使用している状態を示す斜視図である。
【考案を実施するための形態】
【００１１】
以下、図面に基づいて本考案の実施の形態を説明する。
【実施例】
【００１２】
図１は、本考案に係るロープ止め具の実施例１の使用例における斜視図、図２は同正面図、図３は同右側面図、図４は同左側面図、図５は図２におけるＡ−Ａ断面図である。
【００１３】
図１〜図４において、本考案に係るロープ止め具１は、例えば、ＰＯＭ（ポリアセタール）等の熱可塑性合成樹脂により一体成型されており、図面に示す実施例においては、支柱２の上端部２１に装着して使用するようになっている。
【００１４】
図示するロープ止め具１は、上部に本体部分３を有し、本体部分の下部に下面開放の受部６を有する嵌着部５を延設して構成され、地面に立設した複数の支柱２の上端部２１に嵌着部５を装着して、各支柱２間にロープＲを架け渡すためのものである。本体部分３は、ロープＲを係止して保持するロープ係止部４を有しており、嵌着部５は、下面開放の受部６を支柱２の上端部２１に嵌め付けて装着される。
【００１５】
上部の本体部分３は、側面に開口７ａを有する空部７が設けられ、この空部７内に１対の係止柱８ａ，８ｂが、上下にロープの通過できる間隔を空けて直径方向に立設されている。係止柱８ａ，８ｂは、その側面にロープＲを沿わせて係止することでロープＲを保持するものであり、空部７は、係止柱８ａ（及び８ｂ）と交差する径方向の両側に延長してロープＲの導入路９及び排出路１０が設けられ、導入路９及び排出路１０の各先端が開口し、各開口がロープ入口９ａ、ロープ出口１０ａとなっている。
【００１６】
ロープ入口９ａ及びロープ出口１０ａは、導入路９及び排出路１０に沿ってロープＲの通過できる大きさで空部７の開口７ａの両側に連続してそれぞれ開口９ｂ，１０ｂを有し、空部７の開口７ａは、全体で、径方向に例えば６０度の角度範囲で開口している。ロープ入口９ａ又はロープ出口１０ａから空部７の開口７ａの両側に連続する開口９ｂ，１０ｂの縁の部分には、ロープＲを挿入して掛け止めできる鉤片１１，１２が形成されている。
【００１７】
ロープ係止部４は、空部７、係止柱８ａ，８ｂ、導入路９、排出路１０、ロープ入口９ａ、ロープ出口１０ａ、開口９ｂ，１０ｂ及び鉤片１１，１２を備えて構成されている。
【００１８】
下部の嵌着部５において、受部６には、その外壁を貫通して雌ネジ孔６ａが形成され、雌ネジ孔６ａ及び雌ネジ孔６ａに螺合される雄ネジ１６により、支柱２に止着する締着具が側面に設けられている。
【００１９】
次に、本考案に係るロープ止め具１の使い方を説明する。例えば、図７に示すように、植林造成地域において、猪、鹿等の野生動物が、幼い芽を食べてしまう食害を防止する獣害防止ネット１９を設置するために使用する。この獣害防止ネット１９は、通常、適宜な間隔で地面に立設した複数の支柱２の上端部にロープ止め具１を装着し、各支柱２間にネット１９の上縁部分に通したロープＲを架け渡し、ネット１９の下端を地面に接地させて、動物がネット１９を越えて植林造成地域へ侵入することを防いでいる。
【００２０】
次に、ロープ止め具１を支柱に取付ける場合について説明する。先ず、ロープ止め具１の受部６を支柱２に嵌め付けて、支柱２の上端部２１に下部の嵌着部５を装着する。この状態において、支柱２の径が受部６の内径より小さければ、支柱２と受部６との間に隙間が生じる。このような場合、雄ネジ１６を止着することで、支柱２と受部６との間に隙間が生じていても、ロープ止め具１を支柱２の上端部２１に回り止めされた状態に容易に固定することができる。
【００２１】
次に、ロープＲをロープ止め具１のロープ係止部４にロープＲを係止して保持する手順について図６を参照して説明する。図６は、ロープ止め具の使用例の説明図である。
【００２２】
図６において、例えば、ロープＲを単独で複数の支柱２間に装着していく場合、ロープＲをロープ入口９ａから差入れてロープ出口１０ａから引き出すことで、ロープＲをロープ止め具１のロープ係止部４に導入することができる。
【００２３】
また、ネット１９の上縁部分に通したロープＲを複数の支柱２間に装着していく場合、或いは、既にロープＲが装着されている支柱２間に別の支柱２を追加して、ロープＲを追加の支柱２に装着していく場合は、ロープ入口９ａ又はロープ出口１０ａの開口９ｂ，１０ｂ及び開口７ａからロープＲを押し込んで空部７に入れることで、ロープＲをロープ係止部４に導入することができる。
【００２４】
次に、空部７に入れたロープＲを、例えば、外壁に沿って上に曲げ、係止柱８ａの側面に沿わせて右巻きに巻き付け、係止柱８ａ，８ｂの間を通し、ロープＲを下に曲げて係止柱８ｂの側面に沿わせて、今度は逆の左巻きに巻き付ける。
【００２５】
そして、ロープ入口９ａ、ロープ出口１０ａから引き出されているロープＲを引っ張ることで、ロープＲを鉤片１１，１２に強固に掛け止めして、ロープＲをロープ係止部４に強固に係止して保持させることができる。
【００２６】
このように、本考案のロープ止め具を使用すれば、長いロープＲを引き回して結び付ける必要がないので、極めて容易に獣害防止ネットを設置することができる。従って、熟練技術が必要なく、一般の人でも安全且つ確実に作業することができる。
【符号の説明】
【００２７】
１  ロープ止め具
２  支柱
３  本体部分
４  ロープ係止部
５  嵌着部
６  受部
６ａ  雌ネジ孔
７  空部
７ａ，９ｂ，１０ｂ  開口
８ａ，８ｂ  係止柱
９  導入路
９ａ  ロープ入口
１０  排出路
１０ａ  ロープ出口
１１，１２  鉤片
１６  雄ネジ
１９  獣害防止ネット
２１  上端部
【図１】
0003150124.tif 000003
【図２】
0003150124.tif 000004
【図３】
0003150124.tif 000005
【図４】
0003150124.tif 000006
【図５】
0003150124.tif 000007
【図６】
0003150124.tif 000008
【図７】
0003150124.tif 000009